(57)【要約】【課題】  ケース本体に、ヒンジ部を介して連設される蓋体の接合面に滑り止めを設けたスライド部材を取着し、スライド部材を押圧操作することで、スライド部材の作動板がケース内のシート状物の上面の一枚に当接し、シート状物を一枚ずつ確実に送り出せるようにし、オーバーキャップを設けることで、容器内に湿気等の侵入を防止するようにしたシート状物収納容器を提供すること。【解決手段】  シート状物を積重ねて収納したケース本体と、ケース本体に開閉自在に嵌着され、スライド部材を摺動自在に取着した蓋体と、ケース本体と蓋体との間にシート状物の取出口を備えたシート状物収納容器において、蓋体が柔軟性を有する素材によって形成され、スライド部材を押圧することにより、蓋体がケース本体内方にベントし、スライド部材の下端に設けられた作動板がシート状物の最上面のシートに当接し、スライド部材を摺動させることにより、最上面のシート状物を取出口より突出させることを特徴とする。【選択図】    図１
2006062670.tif 000002
【特許請求の範囲】
【請求項１】
シート状物を積重ねて収納したケース本体と、ケース本体に開閉自在に嵌着され、スライド部材を摺動自在に取着した蓋体と、ケース本体と蓋体との間にシート状物の取出口を備えたシート状物収納容器において、
蓋体が柔軟性を有する素材によって形成され、
スライド部材を押圧することにより、蓋体がケース本体内方にベントし、スライド部材の下端に設けられた作動板がシート状物の最上面のシートに当接し、スライド部材を摺動させることにより、最上面のシート状物を取出口より突出させることを特徴とするシート状物収納容器。   
【請求項２】
シート状物を積重ねて収納したケース本体と、ケース本体に開閉自在に嵌着され、スライド部材を摺動自在に取着した蓋体と、シート状物の取出口を備えたシート状物収納容器において、
スライド部材が柔軟性を有する素材によって形成され、
スライド部材を押圧することにより、スライド部材の下端に設けられた作動板がシート状物の最上面のシートに当接し、スライド部材を摺動させることにより、最上面のシート状物を取出口より突出させることを特徴とするシート状物収納容器。  
【請求項３】
スライド部材の下端に設けられた作動板に滑り止め面を設けたことを特徴とする請求項１、２記載のシート状物収納容器。   
【請求項４】
シート状物収納容器を覆うように形成されたオーバーキャップを、収納容器のケース基台に嵌合させることを特徴とする請求項１〜３記載のシート状物収納容器。
【発明の詳細な説明】
【技術分野】
【０００１】
本発明は、シート状物収納容器に関するものである。
【背景技術】
【０００２】
複数枚のシート状物を積重ねて収納し、シート物状を一枚ずつ取出すようにしたシート状物収納容器は、従来より知られている（特許文献１参照）。
【特許文献１】実公昭６２−７１９２号公報
【発明の開示】
【発明が解決しようとする課題】
【０００３】
上記特許文献１記載の容器は、シート状物として、紙石鹸を収納したもので、上蓋体（４）の中央部に窓孔（８）を穿孔し、該窓孔（８）に弾性湾曲部（９ａ）と指押部（９ｃ）を具え、弾性変形自在な肉薄平板状のスライド板（９）を取付け、指押部（９ｃ）を押さえて前方に動かすことで、弾性湾曲部（９ａ）を上方に湾曲させ、指押部（９ｃ）の下面に設けた摩擦材（１０）で最上位にある紙石鹸を固定部材から切り離して、抜出孔（３）から押出すようにしている。
【０００４】
しかしながら、上記特許文献１記載の容器では、指先で指押部を押圧して取出し操作をするので、最上位の紙石鹸等のシート状物に、常に一定の押圧力がかかるように操作するためには、注意力が必要であった。
押圧力が大きすぎると、複数枚のシート状物を押出すことがあり、押圧力が弱いと、シート状物を正常に押出せないというおそれがあった。
【０００５】
また、指押部を押圧した時に、指先に水分が付着していると、指先の水分が指押部を伝い容器内部に侵入して濡らしたり、容器自体を湿気のあるところに置いておくと、抜出孔や上蓋体に設けた窓孔等から大気中の湿気が容器内部に侵入し、シート状物を湿られてしまうこともあった。
【０００６】
本発明は、上記の事情を考慮して、ケース本体に、ヒンジ部を介して連設される蓋体の接合面に滑り止めを設けたスライド部材を取着し、スライド部材を押圧操作することで、スライド部材の作動板がケース内のシート状物の上面の一枚に当接し、シート状物を一枚ずつ確実に送り出せるようにし、オーバーキャップを設けることで、容器内に湿気等の侵入を防止するようにしたシート状物収納容器を提供することを目的とする。
【課題を解決するための手段】
【０００７】
本発明は、上記の課題を解決するため、シート状物収納容器として、シート状物を積重ねて収納したケース本体と、ケース本体に開閉自在に嵌着され、スライド部材を摺動自在に取着した蓋体と、ケース本体と蓋体との間にシート状物の取出口を備えたシート状物収納容器において、蓋体が柔軟性を有する素材によって形成され、スライド部材を押圧することにより、蓋体がケース本体内方にベントし、スライド部材の下端に設けられた作動板がシート状物の最上面のシートに当接し、スライド部材を摺動させることにより、最上面のシート状物を取出口より突出させることを特徴とする構成を採用する。   
【０００８】
収納容器の別実施例として、シート状物を積重ねて収納したケース本体と、ケース本体に開閉自在に嵌着され、スライド部材を摺動自在に取着した蓋体と、シート状物の取出口を備えたシート状物収納容器において、スライド部材が柔軟性を有する素材によって形成され、スライド部材を押圧することにより、スライド部材の下端に設けられた作動板がシート状物の最上面のシートに当接し、スライド部材を摺動させることにより、最上面のシート状物を取出口より突出させることを特徴とする構成を採用する。   
【０００９】
スライド部材の実施態様として、スライド部材の下端に設けられた作動板に滑り止め面を設けたことを特徴とする構成を採用する。   
【００１０】
オーバーキャップとして、シート状物収納容器を覆うように形成されたオーバーキャップを、収納容器のケース基台に嵌合させることを特徴とする構成を採用する。   
【発明の効果】
【００１１】
ケース本体の蓋体に取着したスライド部材を押圧操作することで、ケース本体に収納されたシート状物の積重ね物の上面に作動板を当接させ、取出口からシート状物を一枚ずつ取出し、最後まで確実に取出すことができる。
また、オーバーキャップを設けたことにより、ケース本体内に湿気等が侵入することを防ぐことができる。
【発明を実施するための最良の形態】
【００１２】
次に、本発明のシート状物収納容器ついて、実施例をあげて説明する。
【実施例１】
【００１３】
図１において、Ａはケース基台、Ｂはケース基台Ａに連設されたケース本体、Ｃはケース本体Ｂの上端にヒンジを介して開閉自在に取着された蓋体、Ｄは蓋体Ｃに摺動自在に取着されたスライド部材、Ｅはケース基台Ａに嵌着し、蓋体Ｃを閉蓋したケース本体Ｂを内方に収納するオーバーキャップ、Ｆはシート状物である。
【００１４】
図２に示すように、ケース基台Ａは、頂壁１と該頂壁１周縁より垂設されたオーバーキャップＥを嵌着する側周壁２とからなり、側周壁２の下端側周縁はフランジ３が突設されている。
頂壁１上面にはケース本体Ｂが立設され、側周壁２にはオーバーキャップＥが嵌着される突条４が設けられている。
【００１５】
ケース本体Ｂは、ケース基台Ａの頂壁１上面に連設される底壁５と、該底壁５から立設され、上端が前方に傾斜する傾斜頂壁６となっている後壁７と、側壁８ａ、８ｂとから形成されている。  
底壁５と側壁８ａ、８ｂの前側端面には、嵌合凹部９が配設され、側壁８ａ、８ｂの上端部には、ヒンジｂを介して蓋体Ｃが連設されている。
【００１６】
蓋体Ｃは、押圧するとベントできる程度の肉厚、またはベントできる程度の柔軟性を有する素材で形成された板状体によって形成された角形の板体１０であって、図２に示すように、上方端部１１より中央付近までスライド部材Ｄの可動範囲を決めるスライド孔１２が設けられ、下方端部１３の両側端部は、ヒンジｂを介してケース本体Ｂに連設されている。
スライド孔１２の端部付近には、スライド部材Ｄの脱落を防ぐ突部１４が設けられている。
【００１７】
蓋体Ｃの板体１０の裏面には、蓋体Ｃをヒンジｂを介して折り返した時に、ケース本体Ｂの底壁５と側壁８ａ、８ｂの前側端面に配設した嵌合凹部９に嵌合する嵌合突部１５が設けられ、嵌合凹部９に嵌合させることにより、蓋体Ｃはケース本体Ｂの前面を被うように取着される。
【００１８】
ケース本体Ｂの上端には、傾斜頂壁６と側壁８ａ、８ｂと蓋体Ｃの板体１０との間で、図１に示すように、取出口１６が形成されている。
【００１９】
側壁８ａと側壁８ｂの内面には、シート状物Ｆの両側に接するように、横方向に延びる上下一対の凸条１７が設けられている。
【００２０】
スライド部材Ｄは、蓋体Ｃの板体１０上面に載置されるスライド操作板２０と、スライド操作板２０の下面に設けられ、スライド孔１２内で前後に摺動可能な断面ほぼ四角形のスライド台２１と、スライド台２１の下に連設された作動板２２とからなっている。
【００２１】
スライド操作板２０の表面には、滑り止めのため、横方向に延びる細条、或いは凹凸、その他が設けられている（図示しない）。
作動板２２の下面には、ゴム等の滑り止め面２３が、別部材の接着または塗装などで設けられている。
【００２２】
オーバーキャップＥは、図１、２に示すように、頂壁２５と該頂壁２５から垂設された側周壁２６とからなり、側周壁２６の下端が、ケース基台Ａの側周壁２のフランジ３上面に載置されるように形成されている。
側周壁２６内周の下端付近には、ケース基台Ａの側周壁２に設けられた突条４に嵌合する拡径された嵌合溝２７が設けられている。
【００２３】
次に、本実施形態のシート状物収納容器の組立てと、作用効果について説明する。
容器の組立てにあたっては、まず、ケース本体Ｂの蓋体Ｃのスライド孔１２内にスライド部材Ｄを取着する。
その際、スライド部材Ｄのスライド台２１が、蓋体Ｃのスライド孔１２の突部１４を乗り越えて嵌入されるので、嵌入後、スライド部材Ｄが蓋体Ｃから脱落することを防止される。
【００２４】
次に、ケース本体Ｂ内にシート状物Ｆが収納される。
シート状物Ｆは、薄いシートを積重ねたもので、図１に示すように、ケース本体Ｂの後壁７の内面上に載置され、底壁５と側壁８ａ、８ｂとの間で蓋体Ｃをヒンジｂを介して折り返して嵌合させることにより、ケース本体Ｂ内に保持される。
【００２５】
最後に、ケース本体Ｂの上方からオーバーキャップＥを被せ、オーバーキャップＥの下端部内周の嵌合溝２７を、ケース基台Ａの側周壁２の突条４に嵌合させる。
その際、オーバーキャップＥの下端がケース基台Ａのフランジ３上面に当接し、ケース基台Ａの側周壁２の突条４との嵌合と合わさって、オーバーキャップＥ内を密閉する。
【００２６】
使用にあったっては、図３に示すように、まず、オーバーキャップＥをケース基台Ａから外し、ケース本体Ｂを出現させる。
ケース本体Ｂの蓋体Ｃ表面側より、手指でスライド部材Ｄのスライド操作板２０を押圧し、スライド部材Ｄの作動板２２の滑り止め面２３をシート状物Ｆの最上面のシートＦａに当接させる。
【００２７】
その状態で、蓋体Ｃの板体１０を内方にベントさせつつスライド部材Ｄをケース本体Ｂのスライド孔１２内で取出口１６方向に摺動させると、シート状物Ｆの両側には、凸条１７が当接しているので、摩擦力が働くことによって摺動が阻止され、滑り止め面２３に当接した最上面のシートＦａだけが取出口１６から突出される。
シート状物の使用にあったっては、取出口１６から突出されたシートＦａを指先で摘み、引き出して使用することができる。
【００２８】
図１、３に示すように、ケース本体Ｂは取出口１６を上にして使用する場合には、スライド操作板２０への押圧を外すと、蓋体Ｃの板体１０が元の形にもどり、それに伴いスライド部材Ｄが自重により下方に移動される。
このことで、再度、スライド操作板２０を押圧し、取出口１６方向に摺動させることにより、最上面のシートＦａを一枚ずつ取出すことができ、最上面のシートを連続して取出し、図３（ｂ）に示すように、シート状物Ｆを最後まで取出口１６から突出させることができる。
【００２９】
シート収納容器の使用時に、途中で取出しを止める場合には、オーバーキャップＥをケース本体Ｂの上方から被せ、オーバーキャップＥの下端部をケース基台Ａの側周壁２に嵌合させることでオーバーキャップＥ内を密閉できるので、湿気の多い場所で使用する際にも、オーバーキャップＥ内のケース本体Ｂに湿気が侵入することを防ぐことができ、シート状物Ｆが湿気で湿ることがない。
【００３０】
シート状物Ｆをすべて使い終わったら、蓋体Ｃとケース本体Ｂとの嵌合を外して蓋体Ｃを開蓋し、ケース本体Ｂ内部に新しいシート状物Ｆを詰め替え、再度、蓋体Ｃをヒンジｂを介して折り返してケース本体Ｂと嵌合し直すことで、シート状物Ｆを再度取出すことができる。
【００３１】
次に、実施例１のケース本体Ｂと蓋体Ｃとを連設するヒンジの位置を変更した、変形実施例について説明をする。
実施例１では、ケース本体Ｂの側壁８ａ、８ｂの上端部にヒンジｂを介して蓋体Ｃが連設されているが、図４に示すように、ケース本体Ｂの側壁８ａの前側端部に複数個のヒンジｂ、または薄肉のヒンジを介して、蓋体Ｃの側部を連設するようにしてもよい。
【００３２】
本変形実施例の作用効果は、実施例１のものとは蓋体とケース本体とがヒンジを介して折り返す場所が変わるだけで、その他は実施例１と同様の作用効果を得ることができる。
【００３３】
上記実施例では、スライド部材Ｄのスライド操作板２０の裏面を、蓋体Ｃの表面に当接するようにしているが、図５に示すように、スライド操作板２０の裏面を蓋体Ｃの表面から離して、作動板２２までの間隔を大きくしてもよい。
その場合には、シート状物の積重ね量、厚さが大きくなっても、スライド部材Ｄの押圧にあたって作動板２２の移動量が多くなるので、板体１０のベント等を大きくすることなく、シート状物を最後の１枚まで取出すことができる。
したがって、シート状物収納容器の収納量を大きくすることができる。
【００３４】
また、作動板２２の先端を後壁７側に屈曲させ、弾発力をもたせるようにしてもよい。
【実施例２】
【００３５】
次に、実施例１の蓋体とスライド部材に関して構成を変えた第２実施例について説明する。
本実施例は、蓋体とスライド部材以外の構成は、実施例１と同様であるので、同じ符号を使って図示して説明を簡単にし、以下相違点を中心に説明する。
【００３６】
図６に示すように、蓋体Ｃａは、押圧してもベントしない肉厚、または素材で形成された角形の板体１０ａであり、第１実施例と同様に、スライド孔１２ａが配設され、裏面の周縁部には、ケース本体Ｂの嵌合凹部９ａに嵌合する嵌合突部１５ａが設けられている。
【００３７】
スライド部材Ｄａは、蓋体Ｃａ上面に載置されるスライド押圧操作部３０と、スライド孔１２ａ内で、前後に摺動可能な断面ほぼ四角形のスライド台３１と、下面にゴム等の滑り止め面２３ａが、別部材の接着または塗装などで設けられた作動板３２とからなっている。
【００３８】
スライド押圧操作部３０は、表面に滑り止めのため、横方向に延びる細条、或いは凹凸、その他が設けられ（図示しない）、押圧するとベントできる程度の肉厚に成形された板状の頂壁３３と、該頂壁３３端縁から垂設され、組立時に、下端面が蓋体Ｃａの板体１０ａ上面に当接するように形成された側周壁３４とからなっている。
頂壁３３の裏面中央には、スライド台３１が連設されている。
【００３９】
次に、本実施形態のシート状物収納容器の作用効果について説明する。
使用にあたって、実施例１は、スライド部材Ｄを手指で押圧し、蓋体Ｃをベントさせていたが、本実施形態では、手指でスライド部材Ｄａのスライド押圧操作部３０の頂壁３３を押圧する。
押圧により、頂壁３３が、内方に湾曲し、裏面中央に設けたスライド台３１を介して、作動板３２の滑り止め面２３ａをシート状物Ｆの最上面のシートＦａに当接させている。
【００４０】
その状態で、スライド部材Ｄａを摺動させると、最上面のシートＦａを取出口１６から押出すことができる。
【００４１】
組立時に、スライド部材Ｄａのスライド押圧操作部３０の側周壁３４の下端面が、蓋体Ｃａ上面に当接しているので、ゴミやほこりの侵入を防止することができる。
【００４２】
スライド部材Ｄａのスライド押圧操作部３０全体、または側周壁３４を含め、スライド部材Ｄａ全体をベントできる程度の柔軟性を有する素材で形成しても、頂壁３３が内方にベントでき、側周壁３４の下端面が蓋体Ｃａ上面に当接して、ゴミやほこりの侵入を防止することができる。
また、スライド部材の形状や材質の構成は、本実施例の形態に限定されない。
【００４３】
前記各実施例において、蓋体とケース本体とをヒンジを介して連設する場所はどこに設けてもよい。
蓋体とケース本体を、ヒンジを介さず別々のパーツとして形成して嵌合させてもよい。
ケース本体と蓋体とヒンジの構成は、各実施例の形態に限定されない。
また、スライド部材の形状も、各実施例の形態に限定されない。
【産業上の利用可能性】
【００４４】
ケース本体の蓋体に取着したスライド部材を押圧操作することで、ケース本体に収納されたシート状物の積重ね物の上面に作動板を当接させ、取出口からシート状物を一枚ずつ取出し、最後まで確実に押出すことができ、シート状物の詰替えも簡単にできるようになった。
また、オーバーキャップを設けたことにより、ケース本体内に湿気等が侵入することを防ぐことができるようになった。
【００４５】
本発明のシート状物収納容器の構成は、紙石鹸、その他の各種のシート状物品の携帯用小型容器にも適用することができる。
【図面の簡単な説明】
【００４６】
【図１】本発明第１実施例のシート状物収納容器の断面立面図である。
【図２】シート状物収納容器の分解斜視図である。
【図３】シート状物取出時の説明図で、（ａ）は初期段階、（ｂ）は最終段階の取出時の断面説明図である。
【図４】蓋体のヒンジ部の変形実施例である。
【図５】スライド部材の変形実施例である。
【図６】第２実施例のシート状物収納容器の説明図で、（ａ）は断面立面図、（ｂ）はスライド部材の裏面の斜視図、（ｃ）はシート状物取出時の断面説明図である。
【符号の説明】
【００４７】
Ａ            ケース基台  
Ｂ            ケース本体
ｂ            ヒンジ
Ｃ、Ｃａ      蓋体
Ｄ、Ｄａ      スライド部材
Ｅ            オーバーキャップ
Ｆ            シート状物
Ｆａ          最上面のシート
１            頂壁
２            側周壁
３            フランジ
４            突条
５            底壁
６            傾斜頂壁
７            後壁
８ａ，８ｂ    側壁
９、９ａ      嵌合凹部
１０、１０ａ  板体
１１          上方端部
１２、１２ａ  スライド孔
１３          下方端部
１４          突部
１５          嵌合突部
１６          取出口
１７          凸条
２０          スライド操作板
２１、３１    スライド台
２２、３２    作動板
２３、２３ａ  滑り止め面
２５          頂壁
２６          側周壁
２７          嵌合溝
３０          スライド押圧操作部
３３          頂壁
３４          側周壁
【図１】
2006062670.tif 000003
【図２】
2006062670.tif 000004
【図３】
2006062670.tif 000005
【図４】
2006062670.tif 000006
【図５】
2006062670.tif 000007
【図６】
2006062670.tif 000008